(57)【要約】【課題】不審者を検出して行動を監視すると共に、その状況を報知することにより早めの対応を可能とする。【解決手段】不審者検出装置１０は、不審者の検出機能を有しており、不審者を検出した場合、その検出情報をネットワーク２を介して、防犯サーバ３に送る。防犯サーバ３は、不審者検出装置１０の検出情報に基づいて、検出された者が本当に不審者であるかを確認し、さらに犯罪者データベース６のデータと照合して犯罪者の経歴があるかを確認して、利用者と警備会社７（あるいは警察）に通報したり、そこに一番近い街頭放送機器５を選択して地域放送装置４を介して街頭放送により警告情報を流す。【選択図】図１
2008204219.tif 000002
【特許請求の範囲】
【請求項１】
家の周辺に潜む不審者を検出する不審者検出装置と、該不審者検出装置から不審者検出情報を受けた場合に不審者報知を行う防犯サーバとを備えた防犯システムであって、
前記不審者検出装置は、
家周辺に存在する生体を検出して、生体種類、生体までの距離、検出した方向を求めて、検出した生体が不審者であるかを判定し、検出生体が不審者と判定した場合に、不審者検出情報を前記防犯サーバに送り、
前記防犯サーバは、
前記不審者検出装置から送られた不審者検出情報から不審者の報知を行うことを特徴とする防犯システム。
【請求項２】
家の周辺の不審者を検出してその検出内容を報知する防犯サーバに送信する不審者検出装置において、
データを送受信する送受信部と、
周囲に存在する生体の種類、生体までの距離、検出した方向を探査する生体探査部と、
検出した生体が不審者であるかを判定する不審者判定部と、
不審者判定部が検出生体を不審者と判定した場合に、ネットワークを介して接続する防犯サーバに不審者検出情報を送る報知制御部とを備えたことを特徴とする不審者検出装置。
【請求項３】
前記生体探査部は、
ドップラーレーダを用いて生体種類及び生体までの距離を求め、さらに３６０度にわたる生体検出の相関値が大きい方向を生体検出方向とし、前記位置検出部の検出結果から求めた携帯端末の移動方向を加味して前記生体検出方向を補正し、実際の生体方向を求めることを特徴とする請求項２に記載の不審者検出装置。
【請求項４】
前記報知制御部は、利用者にも音声出力装置や表示装置を用いて不審者検出の報知を行なうことを特徴する請求項２又は３に記載の不審者検出装置。
【請求項５】
前記生体探査部は、
生体からの反射波から心拍と呼吸のうち少なくとも１つの周波数パターンを検出し、予め記憶しておいた生体種類毎の心拍または呼吸の周波数パターンと比較して生体を特定することを特徴とする請求項２、３又は４に記載の不審者検出装置。
【請求項６】
前記不審者判定部は、
前記生体探査部の探査結果により生体の種類が人間であるかを確認する手段と、
人間である場合に、同一人物であるかを確認する手段と、
同一人物である場合、生体までの距離が所定値以下の時間を積算する手段と、
前記積算時間が基準値を超えた場合に不審者と判断する手段とを備えたことを特徴とする請求項２乃至５のいずれかに記載の不審者検出装置。
【請求項７】
前記不審者判定部は、
前記生体探査部の探査結果により生体の種類が人間であるかを確認する手段と、
人間である場合に、同一人物であるかを確認する手段と、
同一人物である場合、生体までの距離が所定値以下のものを積算する手段と、
前記積算距離が基準値を超えた場合に不審者と判断する手段とを備えたことを特徴とする請求項２乃至５のいずれかに記載の不審者検出装置。
【請求項８】
前記不審者判定部は、
前記生体探査部の探査結果により生体の種類が人間でないことを確認して探査対象から外す手段を備えたことを特徴とする請求項６又は７記載の不審者検出装置。
【請求項９】
家の周辺の不審者を検出する不審者検出装置から不審者検出の情報を得た場合に、不審者報知を行う防犯サーバにおいて、
前記不審者検出装置から受けた不審者検出情報を分析して不審者であることを確定する手段と、
分析した結果、不審者であると確定した場合に、不審者の報知を行う手段とを備えたことを特徴とする防犯サーバ。
【請求項１０】
前記分析手段は、
不審者生体探査部が検出した心拍パターンや呼吸パターンから、心拍数や呼吸数を求め、単位時間当たりの心拍数や呼吸数が基準値を超えて上昇するかを判定し、
前記報知手段は、
基準値を超えて上昇した場合に、利用者に危険が迫っている警報を行うことを特徴とする請求項７に記載の防犯サーバ。
【請求項１１】
前記分析手段は、
犯罪者データベースにアクセスして不審者検出情報に基づいて検出した不審者の犯罪歴を検索することを特徴とする請求項６又は８に記載の防犯サーバ。
【請求項１２】
前記報知手段は、
警備組織に報知を行なうことを特徴とする請求項６、７又は８に記載の防犯サーバ。
【請求項１３】
前記報知手段は
地域街頭放送機器を用いて、不審者検出を報知することを特徴とする請求項６、７又は８に記載の防犯サーバ。
【発明の詳細な説明】
【技術分野】
【０００１】
本発明は、呼吸や脈拍等の微少変位とその周波数パターンにより生体を検出して、その行動から不審者を特定し、警備会社や警察に不審者を報知する防犯システム、それに用いる不審者検出装置及び防犯サーバに関する。
【背景技術】
【０００２】
近年、家に侵入する空き巣等の犯罪に加え、女性に対するストーカ行為等の犯罪行為も問題となっている。このため、ガラスを破ったり、ドアを壊したりして不審者が侵入するのを検出して警報信号を出したり、警備会社に通報するシステムがある。ところが、こうしたシステムでは、侵入者が家のものを破壊して初めて侵入を検知するため、結局被害を受けてから対応することになってしまう。
【０００３】
そこで、特許文献１には、不審者までの距離を測定するマイクロ波の距離検出センサにより、対象物までの距離を測ることにより不審者をモニタリングして不審者であるかを判定する防犯システムが開示されている。また、特許文献２には、訪問者の画像を撮影し、指名手配者のデータベースに記憶されている顔の画像データと照合し、指名手配の人物と判定した場合に、警察等に通報する防犯システムが開示されている。
【特許文献１】特開２００５−１０７６９６号公報
【特許文献２】特開２００４−１３８７１号公報
【発明の開示】
【発明が解決しようとする課題】
【０００４】
しかし、特許文献１においては、単に距離の測定結果だけ不審者を判定しなければならず、家に近づくのが人間であるのか否か分からない。また、家周辺をうろついたりする者が、同一人物であるかの判定もできず、また、近所の人か否かの判別もできない。そのため、誤判定が頻繁に発生するおそれがある。また、特許文献２においては、顔画像による判定のため、夜に家周辺に潜んでいる場合では役に立たない。
【０００５】
本発明の目的は、不審者を検出して行動を監視すると共に、その状況を報知することにより早めの対応を可能とする防犯システム、それに用いる不審者検出装置及び防犯サーバを提供することにある。
【課題を解決するための手段】
【０００６】
本発明は、家の周辺に潜む不審者を検出する不審者検出装置と、該不審者検出装置から不審者検出情報を受けた場合に不審者報知を行う防犯サーバとを備えた防犯システムであって、前記不審者検出装置は、家周辺に存在する生体を検出して、生体種類、生体までの距離、検出した方向を求めて、検出した生体が不審者であるかを判定し、検出生体が不審者と判定した場合に、不審者検出情報を前記防犯サーバに送り、前記防犯サーバは、前記不審者検出装置から送られた不審者検出情報から不審者の報知を行うことを特徴とする。
【０００７】
また本発明は、家の周辺の不審者を検出してその検出内容を報知する防犯サーバに送信する不審者検出装置において、データを送受信する送受信部と、周囲に存在する生体の種類、生体までの距離、検出した方向を探査する生体探査部と、検出した生体が不審者であるかを判定する不審者判定部と、不審者判定部が検出生体を不審者と判定した場合に、ネットワークを介して接続する防犯サーバに不審者検出情報を送る報知制御部とを備えたことを特徴とする。
【０００８】
前記生体探査部は、ドップラーレーダを用いて生体種類及び生体までの距離を求め、さらに３６０度にわたる生体検出の相関値が大きい方向を生体検出方向とし、前記位置検出部の検出結果から求めた携帯端末の移動方向を加味して前記生体検出方向を補正し、実際の生体方向を求めることを特徴とする。
【０００９】
前記報知制御部は、利用者にも音声出力装置や表示装置を用いて不審者検出の報知を行なうことを特徴する。
【００１０】
前記生体探査部は、生体からの反射波から心拍と呼吸のうち少なくとも１つの周波数パターンを検出し、予め記憶しておいた生体種類毎の心拍または呼吸の周波数パターンと比較して生体を特定することを特徴とする。
【００１１】
前記不審者判定部は、前記生体探査部の探査結果により生体の種類が人間であるかを確認する手段と、人間である場合に、同一人物であるかを確認する手段と、同一人物である場合、生体までの距離が所定値以下の時間を積算する手段と、前記積算時間が基準値を超えた場合に不審者と判断する手段とを備えたことを特徴とする。
【００１２】
前記不審者判定部は、前記生体探査部の探査結果により生体の種類が人間であるかを確認する手段と、人間である場合に、同一人物であるかを確認する手段と、同一人物である場合、生体までの距離が所定値以下のものを積算する手段と、前記積算距離が基準値を超えた場合に不審者と判断する手段とを備えたことを特徴とする。
【００１３】
前記不審者判定部は、前記生体探査部の探査結果により生体の種類が人間でないことを確認して探査対象から外す手段を備えたことを特徴とする。
【００１４】
また、本発明は、家の周辺の不審者を検出する不審者検出装置から不審者検出の情報を得た場合に、不審者報知を行う防犯サーバにおいて、前記不審者検出装置から受けた不審者検出情報を分析して不審者であることを確定する手段と、分析した結果、不審者であると確定した場合に、不審者の報知を行う手段とを備えたことを特徴とする。
【００１５】
前記分析手段は、不審者生体探査部が検出した心拍パターンや呼吸パターンから、心拍数や呼吸数を求め、単位時間当たりの心拍数や呼吸数が基準値を超えて上昇するかを判定し、前記報知手段は、基準値を超えて上昇した場合に、利用者に危険が迫っている警報を行うことを特徴とする。
【００１６】
前記分析手段は、犯罪者データベースにアクセスして不審者検出情報に基づいて検出した不審者の犯罪歴を検索することを特徴とする。
【００１７】
前記報知手段は、警備組織に報知を行なってもよいし、地域街頭放送機器を用いて、不審者検出を報知してもよい。
【発明の効果】
【００１８】
本発明によれば、家の周辺にいる不審者を検出して、その検出情報を利用者、警備組織に報知したり、地域街頭放送を利用して報知することにより、利用者にのみならず、警備組織も早めに対応できるようにする。このため、従来のように、被害にあってから初めて侵入検出を行なうのではなく、その前の段階で検出が可能なので、犯罪の未然防止にも役立つ。さらに、地域街頭放送を利用して報知した場合には、周辺住民に警告を与えるだけでなく、不審者にもこの報知内容が伝わるため、不審者が行動を控える可能性が高い。こうして、犯罪を未然に防止することが可能となる。
【００１９】
また、前記生体探査部は、ドップラーレーダを用いて生体種類及び生体までの距離を求め、さらに３６０度にわたる生体検出の相関値が大きい方向を生体検出方向とし、前記位置検出部の検出結果から求めた携帯端末の移動方向を加味して前記生体検出方向を補正するので、携帯端末が移動していても、生体の位置を正確に検出することができる。
【００２０】
前記報知制御部が利用者にも音声出力装置や表示装置を用いて不審者検出の報知を行なうことにより、利用者に注意を喚起し早めの対応を促すことができる。
【００２１】
また、不審者の特定に、心拍と呼吸の周波数パターンを用いるので、検出生体種類や同一生体であるか等を検出することが可能となる。
【００２２】
また、不審者判定部が、生体が同一人物である場合、生体までの距離が所定値以下の時間の積算値、又は生体までの距離が所定値以下の積算距離が基準値を超えた場合に不審者と判断することにより、不審者の可能性が高い人物を検出できる。
【００２３】
さらに、前記生体探査部の探査結果により生体の種類が人間でないことを確認して探査対象から外すので、検出対象を絞り込み、精度の高い検出を行なうことができる。
【００２４】
また、報知制御部が、検出した不審者情報を利用者の返答を促す会話形式にて通知することにより、不審者に気づかせることなく、自然な会話を装って不審者報知を行うことができる。
【００２５】
また、単位時間当たりの心拍数や呼吸数が上昇率が基準を超えた場合に、警告を行うことにより、利用者が早めに対応することができる。
【００２６】
犯罪者データベースにアクセスして不審者検出情報に基づいて検出した不審者の犯罪歴を検索することにより、検出した不審者が危険な人物であるかを特定でき、早めの対応を可能とする。
【発明を実施するための最良の形態】
【００２７】
以下、本発明の実施の形態を添付図面を参照して説明する。
【００２８】
図１は、本発明に係る防犯システムの一例を示す説明図である。
この防犯システムは不審者検出装置１０、ネットワーク２、防犯サーバ３、地域放送装置４、街頭放送機器５、犯罪者データベース６，警備会社７とから構成される。
【００２９】
不審者検出装置１０は、詳しくは後述するが、不審者の検出機能を有しており、不審者を検出した場合、その検出情報をネットワーク２を介して、防犯サーバ３に送る。不審者検出装置１０は、この実施例では一つの単体装置としているが、不審者検出部分をパソコンに接続して不審者検出装置を形成し、インターネット（ネットワーク２）を介して防犯サーバ３に接続させてもよい。また、不審者検出装置１０が不審者検出機能を有する携帯電話機でもよいし、ＰＤＡ（Personal Digital Assistants）でも良い。
【００３０】
防犯サーバ３は、不審者検出装置１０の検出情報に基づいて、検出された者が本当に不審者であるかを確認し、さらに犯罪者データベース６のデータと照合して犯罪者の経歴があるかを確認して、利用者と警備会社７（あるいは警察）に通報したり、そこに一番近い街頭放送機器５を選択して地域放送装置４を介して街頭放送により警告情報を流す。
【００３１】
図２は、本発明に係る不審者検出装置の一例を示すブロック図である。
この不審者検出装置１０は、ネットワーク２を介して通信を行なう受信部１２と送信部１３、各部を制御する制御部１４、映像データを表示できるように処理する表示処理部１５、液晶からなる表示部１６、受信あるいは送信する音声データを処理する音声処理部１７、スピーカ１９、データを記憶する記憶部２０、ユーザが操作入力を行う入力キー２１、ブザー２２、生体検出用の電磁波を送受信する生体検出用アンテナ２３、生体を検出する生体探査部２４、ＧＰＳ（Global Positioning System）用アンテナ２５、不審者検出装置の位置を検出する位置検出部２６、生体情報と位置情報から不審者であるかを判定する不審者判定部２７を備えている。
【００３２】
図３は、生体探査部２４の一例を示すブロック図である。
生体探査部２４は、生体種類、生体までの距離、生体の検出方向を探査する機能を有するものであり、方向性結合器３１、周波数結合器３２、発振部３３、位相・振幅検出部３４、位相変化検出部３５、振幅変化検出部３６、生体判定部３７、距離・方向検出部３８を備える。
【００３３】
生体検出の技術は、近年開発されている生命体発見技術を用いている。この技術は、地震や土石流、雪崩、トンネル崩落事故などで生き埋めになった被災者を発見するために開発された技術であり、アンテナから高周波の電波を照射し、生命体からの反射波に含まれる生存者の呼吸や心拍を検出することによって生命体を検出するものである。
【００３４】
不審者検出装置１０の生体探査部２４は、生体検出用アンテナ２３からマイクロ波あるいはミリ波を出し、その反射波を解析して微少変位と変位の周波数を求め、呼吸や心拍（脈拍）を検出する。この装置は一種のドップラーレーダである。ドップラーレーダとは、ドップラー効果による周波数の変移を観測することで、位置だけではなく観測対象の移動速度を観測することのできるレーダーである。これは生き埋めになった人を探査する生体検出装置に用いられているものと同様の技術であり、ミリ単位の変位（振幅）まで検出可能である。この呼吸や心拍の変位と周波数のパターンを記憶部２０に予め記憶しておき、このパターンと比較することにより、生命体であるか、そして生体の種類を判定する。この呼吸パターンや心拍パターンは、生物固有のパターンが存在するため、検出生体が人間であるか、犬や猫等であるかを識別できる。さらに、同一種類でも呼吸パターンや心拍パターンに個体差があるので、検出した生体が同一のものであるか否かも識別が可能である。なお、不審者検出装置１０と検出生体は両方とも移動しているため、これを考慮して検出したデータを解析し生体の検出パターンを求める必要がある。
【００３５】
次に、図３の生体探査部２４の動作を説明する。この生体探査部２４は、同時に複数の生体を検出して、生体種類を識別し、不審者か否かを判別する。
発振部３３から発振された信号の一部は、方向性結合器３１へ入り、生体検出用アンテナ２３を介して高周波の電磁波を放射する。放射された電磁波は、生体へ照射される。照射された生体は呼吸による腹部と心拍による胸部の上下動により位相及び振幅が変化した反射波を放つ。反射波は、生体検出用アンテナ２３へ入り、方向性結合器３１を介して発振部３３から発振された信号の一部と周波数結合器３２にて混合される。混合された信号は、位相・振幅検出部３４にて位相情報の信号と振幅情報の信号とに分けられる。位相情報の信号は、位相変化検出部３５へ入り、発振部３３から発振された信号と生体反射された信号の位相変化を検出する。また、振幅情報の信号は、振幅変化検出部３６へ入り、発振部３３から発振された信号と生体から反射された信号の振幅変化を検出する。
【００３６】
呼吸・心拍は人間に限らず、犬や猫にも存在するが、生体の種類により、それぞれ位相と振幅の変位の周波数パターンが異なるので、予め記憶部２０にそれぞれの生体種類の周波数パターンを記憶しておく。これらの生体種類別の周波数パターンは、検出可能な生体の周波数パターンデータをできるだけ調査して記憶しておく必要がある。生体判定部３７は、記憶部２０に記憶されている生体種類の呼吸・心拍パターンと比較することにより生体種類を判別する。この検出結果は不審者判定部２７に送られる。
【００３７】
また、不審者検出装置１０の周囲３６０度にわたって電波を照射してサーチを行う。そして、距離・方向検出部３８が検出生体の検出方向と距離を求める。距離・方向検出部３８は、位置検出部２６の位置情報に基づいて、緯度、経度に基づく生体の検出方向を求める。さらに、生体までの距離から生体の正確な位置を求める。
【００３８】
図４は、位置検出部２６の一例を示すブロック図である。
この位置検出部２６は、ＧＰＳ処理部４１、位置情報処理部４２を備える。位置情報処理部４２は、ＧＰＳデータから正確な緯度と経度を得る。
【００３９】
なお、生体探査部２４、位置検出部２６、アンテナ２３，２５は、不審者検出装置１０の本体から離れた位置に設置することも可能である。検出しやすい位置に設置し、検出データは無線で装置本体に送ることも可能である。
【００４０】
図５は、不審者検出装置１０の生体探査部２４が生体への実際の方向を検出する概念図である。利用者Ａが持っている不審者検出装置１０の生体探査部２４がドップラーレーダを使って生体Ｓを検出するのであるが、図５に示すように、距離・方向検出部３８での検出結果は、Ｘ，Ｙ座標の原点に利用者Ａがいて生体Ｓを検出している場合と同じである。
【００４１】
まず生体探査部２４の距離・方向検出部３８は、ドップラーレーダにより、生体Ｓまでの距離（Ｌ＋Ｂ）を検出する。但し、この検出値には、生体Ｓの呼吸変位Ｂが含まれている。呼吸変位Ｂは振幅変化検出部３６の検出でその振幅は容易に検出されるので、生体Ｓまでの実距離Ｌは簡単に求めることができる。
【００４２】
次に位置検出部２６の検出値によって、不審者検出装置１０の移動距離と移動方向が分かる。位置検出部２６は、検出値から移動距離と移動方向を示すベクトルδを求め、距離・方向検出部３８に出力する。また、生体検出用アンテナ２３からマイクロ波あるいはミリ波を３６０度にわたり出す。例えば、−１８０度〜１８０度まで、１秒間隔で１度ごとに電波を照射し、その反射波した電波に基づいて位相・振幅検出部３４が検出した検出値から距離・方向検出部３８が相関値を求める。こうして、距離・方向検出部３８が３６０個の相関値を蓄積し、最も大きい相関値の方向を検出方向とする。このときの方向を基準線に対する角度θとする。
【００４３】
不審者検出装置１０は位置検出部２６の検出によりδだけ移動しており、これを加味して、生体Ｓの実際の検出方向を求めなければならない。ベクトルδの終点をＣ、生体Ｓの中心をＳ０とすると、図５に示すように、補正ベクトルδｓは、利用者Ａが移動したベクトルδの終点と生体Ｓを結び、生体Ｓまでの距離（Ｌ＋Ｂ）は変化しないのであるから、Ｓ０からＣまでの距離から、距離（Ｌ＋Ｂ）引いたものである。利用者Ａが実際に移動したベクトルは、図５の（ベクトルδ＋ベクトルδｓ）である。
【００４４】
次に不審者検出装置１０と防犯サーバ３による不審者検出と報知処理の概略について説明する。
不審者検出装置１０の不審者判定部２７は、生体探査部２４から生体種類、検出方向、検出距離、検出位置が入力される。不審者判定部２７は、検出された人間が所定の距離以内に所定の時間以上存在した場合、不審者と判定する。そして、その判定を制御部１４に送る。制御部１４は、不審者の検出情報を送信部１３を通じネットワーク２を介して防犯サーバ３に不審者の検出情報を送る。
【００４５】
サーバ３は、不審者検出情報を分析し、再度、不審者であるかを確認する。不審者と判断できる場合は、検出情報を警備会社や警察にも通知する。同時に、不審者検出情報に基づいて利用者のいる地域の割り出しを行い、そこに一番近い街頭放送機器５を特定する。特にその地区の危険度（閑静さ）と不審者の行動分析から放送内容を選択する。この放送は、利用者への不審者報知は当然として、不審者に利用者以外の第三者にもその行動が監視されていることを報知するとともに、その行動を控えさせる効果も狙ったものである。
【００４６】
図６は、不審者検出装置の不審者検出における具体的処理の一例を示すフローチャートである。
【００４７】
利用者が、例えば、入力キー２１の不審者検出キーを押して不審者検出装置１０の不審者検出機能をＯＮにすると（ステップＳ１）、生体探査部２４と位置検出部２６が起動する。
【００４８】
まず、位置検出部２６が不審者検出装置の位置を検出する（ステップＳ２）。通常はＧＰＳ処理部４１が衛星からアンテナ２５を介してＧＰＳデータを取得して、それに基づいて位置情報処理部４２が位置データを取得する。
【００４９】
次に、生体探査部２４が電磁波により周囲３６０度をサーチして生体を検出する（ステップＳ３）。生体判定部３７が、位相変化検出部３５と振幅変化検出部３６の検出パターンと記憶部２０に記憶された生体種類のパターンを比較し、生体種類を検出する。同時に、距離・方向検出部３８が生体を検出した距離と方向を検出する。こうして検出した生体種類、検出距離、検出方向は、記憶部２０に記憶される。
【００５０】
生体探査部２４の検出結果を受けて、不審者判定部２７は、検出した生体が不審者であるか否かを判定する。まず、生体種類が人間であるかを判定する（ステップＳ４）。ここでは、生体種類が人間でない場合には、検出対象から除外してもよい。これによって、検出対象を絞り込むことが可能となって、高精度の検出が可能となる。
【００５１】
人間である場合に、同一人かを確認する（ステップＳ５）。これは、人間である場合には、記憶部２０にその位相と振幅の周波数パターンを記憶し、その記憶したパターンと同一パターンであるか否かで判断する。
【００５２】
同一人である場合、距離・方向検出部３８の検出結果から所定距離（例えば３０ｍ）以内にいるかを判定する（ステップＳ６）。ここで、記憶部２０に所定距離内にいる時間を記憶する。そして、所定距離以内にいる時間をカウントして積算し、所定時間以上になったかを確認する（ステップＳ７）。所定時間を超えたとき、その検出生体が家族や近所の人など、検出対象外の人を予め記憶部２０に記憶しておき、それらに該当しないかを確認する（ステップＳ８）。確認後、不審者判定部２７は不審者と判定する（ステップＳ９）。そして、その結果を制御部１４に送り、制御部１４は、記憶部２０に記憶されている不審者検出情報（検出生体種類、検出生体までの距離と方向（位置）、所定距離内にいる時間等）を読み出して送信部１３を介して防犯サーバ３へ送信するとともに、利用者に不審者検出を報知する（ステップＳ１０）。ステップＳ４〜Ｓ７においてＮＯ、ステップＳ８においてＹｅｓとなれば、検出生体は不審者ではなく、処理は終了する。
【００５３】
不審者検出の基準として、一例を記載したがこれに限定されるものではない。例えば、ステップＳ７において、所定距離以内の時間ではなく、所定距離以内の間隔で追跡された積算距離が一定値を超えた場合に不審者とする。この場合には、不審者検出情報として不審者の追跡積算距離を含む。
【００５４】
利用者に報知する場合は、制御部１４はスピーカ１９を用いて音声にて「不審者を検出しました。」等のように報知を行なう。同時に、表示部１６には検出情報（検出生体種類、検出生体までの距離と方向（位置）、所定距離内にいる時間等）を表示する。こうして、利用者に報知することにより、利用者が早めの対処をすることが可能となる。
【００５５】
図７は防犯サーバが行う不審者報知処理の一例を示すフローチャートである。
【００５６】
不審者検出装置１０を送信された不審者検出情報は、ネットワーク２を介して防犯サーバ３に入力される（ステップＳ１１）。防犯サーバ３は、不審者検出情報の分析を行い（ステップＳ１２）、本当に不審者の可能性があるかを確認する（ステップＳ１３）。不審者であると確認できれば、不審者の呼吸や心拍のパターンを読み出し、犯罪者データベース６にアクセスする（ステップＳ１４）。犯罪者データベース６には、各犯罪者の指紋等のデータ、呼吸や心拍の周波数パターン、犯罪歴を含む犯罪者情報が記憶されている。防犯サーバ３は、検出した呼吸や心拍の周波数パターンにより共通のパターンを検索し、パターンが一致する犯罪者がいれば、その犯罪者情報を抽出し、不審者検出装置１０で検出した不審者検出情報と共に、警備会社７の端末に通知する（ステップＳ１５）。
【００５７】
通報を受けた警備会社７は、警備員を派遣して対処を行なう。場合によっては、警備会社から警察に通報して警察官の出動要請を行なう。この実施例では、警備会社に一旦通報があるシステムになっているが、直接警察に通報してもよい。こうして、利用者だけでは対処できない危険な状況にも早めの対処が可能となる。
【００５８】
また、この分析に基づいて、利用者の位置（不審者検出装置１０の位置）に近い街頭放送機器５を選択する（ステップＳ１６）。緊急性に合わせて報知文言を選択する（ステップＳ１７）。そして、地域放送装置４を用いて選択した街頭放送機器５を用いて報知文言を放送する（ステップＳ１８）。
【００５９】
街頭放送機器５から放送する文言は、単に不審者の警告する場合、「お知らせします。現在、この地区に不審者がいる可能性があります。ご注意ください。」程度でよい。これだけで、不審者にも自分が検出されていることを報知することにより、行動を控えさせる効果がある。
【００６０】
また、不審者の脈拍数や呼吸数からの不審者の状況を分析した結果、単位時間当たりの心拍数や呼吸数が基準値を超えて上昇する場合は、不審者が行動に移す状況にあると判断し、「現在、警察官がそちらに向かっております。不審者の行動に気をつけてください。」という文言を音量を上げて放送する。また、これは警備会社あるいは警察にも通知する。これで利用者や警備会社（あるいは警察）に緊急性を報知するとともに、不審者にも警告を与え、行動を控えさせる効果がある。
【図面の簡単な説明】
【００６１】
【図１】本発明に係る防犯システムの一例を示す説明図である。
【図２】本発明に係る不審者検出機能付き携帯電話機の一例を示すブロック図である。
【図３】生体探査部の一例を示すブロック図である。
【図４】位置検出部の一例を示すブロック図である。
【図５】携帯電話機の生体探査部が生体への実際の方向を検出する概念図である。
【図６】不審者検出装置の不審者検出における具体的処理の一例を示すフローチャートである。
【図７】防犯サーバが行う不審者報知処理の一例を示すフローチャートである。
【符号の説明】
【００６２】
２  ネットワーク
３  防犯サーバ
４  地域放送装置
５  街頭放送機器
６  犯罪者データベース
７  警備会社
１０  不審者検出装置
１２  受信部
１３  送信部
１４  制御部
１５  表示処理部
１６  表示部
１７  音声処理部
１９  スピーカ
２０  記憶部
２１  入力キー
２２  ブザー
２３  生体検出用アンテナ
２４  生体探査部
２５  ＧＰＳ用アンテナ
２６  位置検出部
２７  不審者判定部
３１  方向性結合器
３２  周波数結合器
３３  発振部
３４  位相・振幅検出部
３５  位相変化検出部
３６  振幅変化検出部
３７  生体判定部
３８  距離・方向検出部
４１  ＧＰＳ処理部
４２  位置情報処理部
【図１】
2008204219.tif 000003
【図２】
2008204219.tif 000004
【図３】
2008204219.tif 000005
【図４】
2008204219.tif 000006
【図５】
2008204219.tif 000007
【図６】
2008204219.tif 000008
【図７】
2008204219.tif 000009